(57)【要約】      （修正有）【課題】コストが安く、軽くて、屋上緑化やベランダ緑化に最適な化粧発泡廃プラ板を提供する。【解決手段】廃プラスチックに発泡剤を加えて押し出し成形した発泡廃プラ板の表面が、接着剤を介し砂利石９を貼着した化粧面となっている。接着剤を塗布した上面２の外周側に、砂利石９を隙間なく丁寧に一つずつ手で押えるようにして配置する。なお、砂利石９は１５〜２０ｍｍ程度のサイズのものであり、ホワイト，グリーン，イエロー，ピンク等の色の砂利石９の何れか又は混合したものを用いることができる。さらに、外周側の砂利石の内側全面に砂利石９を敷き詰めて、上面２全体を砂利石９で覆う。なお、砂利石９は接着剤を塗布してから６０分以内に貼着することが好ましく、砂利石９は上からコテ等を用いて押え付けることで強固に貼着させることができるものである。なお、中央部には砂利石だけでなく砂を混ぜて貼設することも可能である。【選択図】図４
0003195467.tif 000002
【実用新案登録請求の範囲】
【請求項１】
廃プラスチックに発泡剤を加えて押し出し成形した発泡廃プラ板の表面が、接着剤を介し化粧面となっていることを特徴とする化粧発泡廃プラ板。
【請求項２】
前記化粧面は、変成シリコーン樹脂系の前記接着剤そのもので化粧処理されていることを特徴とする請求項１に記載の化粧発泡廃プラ板。
【請求項３】
前記化粧面は、前記接着剤で石材を貼り付けて形成されていることを特徴とする請求項１に記載の化粧発泡廃プラ板。
【請求項４】
前記石材が砂利石であることを特徴とする請求項３に記載の化粧発泡廃プラ板。
【請求項５】
前記化粧面は、前記接着剤で樹脂製擬岩を貼り付けて形成されていることを特徴とする請求項１に記載の化粧発泡廃プラ板。
【考案の詳細な説明】
【技術分野】
【０００１】
本考案は、廃プラスチックに発泡剤を加えて成形した化粧発泡廃プラ板に関するものである。
【背景技術】
【０００２】
従来、花壇などを造る場合、花壇の外周側に石垣壁等を形成するなど大掛かりな土台工事が必要であり、また、左官工事など専門技術者が必要となっていた。特に、屋上緑化やベランダ緑化を行なう際には、重量的な問題も発生し、大掛かりな屋上緑化等が困難なものとなっていた。
なお、従来、特許文献１に開示されているような、重量の軽い化粧材付き樹脂ブロックが出現している。
【先行技術文献】
【特許文献】
【０００３】
【特許文献１】特開２００１−１７０９４７号公報
【考案の概要】
【考案が解決しようとする課題】
【０００４】
上記特許文献１に開示されている化粧材付き樹脂ブロックは、ブロックと化粧材とを発泡成形法により一体化して形成されるものであり、製造するには型が必要であり、製造コストが高くなってしまうという問題点があった。
【課題を解決するための手段】
【０００５】
本考案は、安価で軽く、運搬が容易で、特に屋上緑化やベランダ緑化に良好に用いることのできる化粧発泡廃プラ板の提供を目的とし、この目的の少なくとも一部を達成するために以下の手段を採った。
本考案の化粧発泡廃プラ板は、廃プラスチックに発泡剤を加えて押し出し成形した発泡廃プラ板の表面が、接着剤を介し化粧面となっていることを要旨とする。
【考案の効果】
【０００６】
本考案の化粧発泡廃プラ板は、廃プラスチックを用いて安価に製造することができ、しかも発泡剤が加えられているため軽く、運搬等が容易であり、裁断や釘打ち，ビス止め等を容易に行なうことができ、現場で容易に組み立てて屋上緑化やベランダ緑化の枠材等として良好に用いることができ、左官工事等の専門技術者が不要であり、しかも化粧面が形成されているため良好な外観および意匠性が確保できる。
【０００７】
また、本考案の化粧発泡廃プラ板において、前記化粧面は、変成シリコーン樹脂系の前記接着剤そのもので化粧処理されているものとすることもできる。
こうすれば、接着剤そのもので模様等を描いて化粧処理し、意匠的に優れた外観が形成される。
【０００８】
また、本考案の化粧発泡廃プラ板において、前記化粧面は、前記接着剤で石材を貼り付けて形成されているものとすることもできる。
こうすれば、石材が表面に貼り付けられているため、良好な石調を呈する花壇等を良好に造形できるものとなる。
【０００９】
また、本考案の化粧発泡廃プラ板において、前記石材が砂利石であるものとすることもできる。
こうすれば、安価な砂利石を表面に貼り付けて良好な石調の枠として用い、自然石で形成した意匠性に優れた花壇等を容易に造形できるものとなる。
【００１０】
また、本考案の化粧発泡廃プラ板において、前記化粧面は、前記接着剤で樹脂製擬岩を貼り付けて形成されているものとすることもできる。
こうすれば、擬岩は樹脂製であり、全体を軽くすることができ、また、本物の石材と同等の外観を呈するために、花壇等の枠材として用いることで意匠性に優れた花壇の造築が可能となる。
【図面の簡単な説明】
【００１１】
【図１】発泡廃プラ板の枕木状枠体の上面に接着剤を塗布している作業説明図である。
【図２】接着剤をコテで伸ばしている作業説明図である。
【図３】接着剤を塗布した面の外周に砂利石を貼り付けている作業説明図である。
【図４】接着剤の面の全面に砂利石を貼った状態の斜視構成図である。
【図５】反転させて外側面に接着剤を塗布している作業説明図である。
【図６】複数の枕木状枠体を列設させて花壇を造る際の作業説明図である。
【図７】枕木状枠体を高さ方向に高い壁として使用する際の説明図である。
【図８】突出面の存在しない枕木状枠体の斜視構成図である。
【図９】折り曲げ板状に発泡廃プラ板を押し出し成形して形成された壁状枠体と、Ｌ字ジョイントの斜視構成図である。
【図１０】垂直方向の２枚の発泡廃プラ板を有する壁状枠体の斜視構成図である。
【図１１】曲面状の垂直面を有する花壇曲面枠体の斜視構成図である。
【図１２】三段池用枠体の斜視構成図である。
【考案を実施するための形態】
【００１２】
次に、本考案を実施するための形態を実施例を用いて説明する。
図１は、花壇を造築する際に、花壇の外周側に配置される枕木状枠体の斜視構成図である。
この枕木状枠体１は、上面２の内側および外側縁から垂直に内側面３と外側面４が形成され、左右端側は連結面５，５となっており、また、内側面３の下端から水平に延びて突出面６が形成されたものであり、この枕木状枠体１は一体成形したものであっても良いが、上面２，内側面３，外側面４，突出面６をそれぞれ板状に押し出し成形して組み合わせたものであっても良い。
【００１３】
なお、この枕木状枠体１は、電化製品や車の内装部材等のプラスチック廃棄物を破砕し、それに発泡剤を加えて溶解し、その後に押し出して成形でき、軽くて錆びることはなく、また、水を吸わず腐らないものであり、再リサイクルも可能なものとなっている。
例えば屋上緑化やベランダ緑化に用いることができ、軽いために容易に運搬して現場に持ち込み、現場で専門の技術者を要することなく組み立てて容易に花壇等を造築することができる。
【００１４】
図１のように、枕木状枠体１の上面２に変性シリコーン樹脂系接着剤７を塗布し、図２のように、接着剤をコテ８で伸ばして、上面２の全面に接着剤を塗布してゆく。
この接着剤７は、例えば白色のものを用いる場合は、接着剤７で模様を形成させて、接着剤７による化粧面を上面２に形成させることができるものである。なお、接着剤７のみで化粧処理した場合には、汚れ防止スプレーで汚れを防ぐように処理しておくこともできる。
【００１５】
なお、本例では、図３のように、接着剤を塗布した上面２の外周側に、砂利石９を隙間なく丁寧に一つずつ手で押えるようにして配置する。なお、砂利石９は１５〜２０ｍｍ程度のサイズのものであり、ホワイト，グリーン，イエロー，ピンク等の色の砂利石９の何れか又は混合したものを用いることができる。
【００１６】
さらに図４に示すように、外周側の砂利石の内側全面に砂利石９を敷き詰めて、上面２全体を砂利石９で覆う。なお、砂利石９は接着剤７を塗布してから６０分以内に貼着することが好ましく、砂利石９は上からコテ等を用いて押え付けることで強固に貼着させることができるものである。
なお、中央部には砂利石だけでなく砂を混ぜて貼設することも可能である。
【００１７】
このようにして上面２に砂利石を貼着して化粧処理した後に、１日以上放置して接着剤７が固まるのを待つ。
次に、図５に示すように、枕木状枠体１を反転させて台１０，１０上に外側面４を水平にして置き、この外側面４上に接着剤７を塗布してゆき、この接着剤７上に同様に砂利石９を敷設して、外側面４も砂利石９で化粧処理することができる。
【００１８】
このように上面２および外側面４を砂利石で化粧処理した枕木状枠体１を現場に持ち込み、図６のように、花壇１１の下敷きボードＢの外周に複数の枕木状枠体１を列設して、石調の外周枠を形成させることができる。
なお、コーナー部にはＬ字ジョイント１２を用いる。このＬ字ジョイント１２の上面１２ａおよび外側面１２ｂ，１２ｃにもそれぞれ砂利石９を接着剤で貼着しておくことができる。
なお、枕木状枠体１の連結面５に接着剤等を塗布し、連結面５，５を当接させて図６のように複数の枕木状枠体１を列設してゆくことができ、軽いものであるために現場で容易に作業を行なうことができる。
【００１９】
なお、図７に示すように、枕木状枠体１は高さ寸法を大きくし、壁のようにして現場で用いることもできる。
この図７の枕木状枠体１では、上面２および外側面４の他に、突出面６の上面および外側面にも砂利石を貼着して化粧処理しておくことができるものである。
なお、現場では、下敷きボードＢの外周側に複数の枕木状枠体１を列設してゆくのであるが、この時に、突出面６に上からビスを打ち、突出面６と下敷きボードＢをビスで連結することができる。
【００２０】
なお、現場において、接着剤を用いて下敷きボードＢに接着して列設する場合には、図８に示すように、突出面６の存在しない枕木状枠体１を用いることができる。
この図８の枕木状枠体１の上面２および外側面４にも砂利石を貼設して化粧処理しておくことができる。
【００２１】
なお、本例では、接着剤で砂利石を貼着して化粧処理したものを例示しているが、砂利石９に限らず、他の石材を貼着して石調の化粧面とすることができ、また更には、硬質ウレタンで石肌状に成形した擬岩を接着剤で貼着して化粧処理することもできるものである。
なお、花壇に限らず、野菜畑等を造築する際にも、このような枕木状枠体１を列設して用いることができる。
【００２２】
次に、図９に斜視図で示すものは、板壁状に発泡廃プラスチックを押し出し成形して形成された壁状枠体１３であり、この壁状枠体１３を連結するためにコーナー部にはＬ字ジョイント１２が用いられる。
この壁状枠体１３は、上面１３ａから垂下状に外側面１３ｂが形成され、外側面１３ｂの下端から上面１３ａと平行状に水平に延びる突出面１３ｃが形成されたものであり、三角板１３ｄを外側面１３ｂの内側と突出面１３ｃとの間に立設して補強したものである。
この壁状枠体１３の上面１３ａおよび外側面１３ｂにも同様に接着剤７を塗布して、砂利石９或いは硬質ウレタンの擬岩を貼着して化粧処理しておくことができる。また、Ｌ字ジョイントの上面１２ａおよび外側面１２ｂ，１２ｃにも同様に砂利石９等を貼着して化粧処理しておくことができる。
【００２３】
なお、この壁状枠体１３の上面１３ａ，外側面１３ｂ，突出面１３ｃの厚みは、例えば２ｍｍ，４ｍｍ，６ｍｍ，９ｍｍ，１２ｍｍ等のものが用意されており、この壁状枠体１３は、ポリプロピレンが主原料の廃プラスチック製であり、しかも発泡剤を用いて製造されているため、比重は０．８前後で非常に軽いものであり、大量に運搬することも容易である。
現場に持ち込んで突出面１３ｃにビスや釘を打ち込んで、下敷きボードＢに容易に止め付けて強固に設置することができるものである。
【００２４】
次に、図１０に示すものは、垂直に立ち上がる外側面１４ａの内側に平行状に内板１４ｂを立設させ、この内板１４ｂと外側面１４ａとの間に角材の中板１４ｄを嵌め込んで形成したものである。
このようなダブル板タイプの壁状枠体１４においては、外側面１４ａに接着剤を用いて砂利石９等を貼着して化粧処理し、さらに外側面１４ａの上端と中板１４ｄの上端と内板１４ｂの上端にも接着剤で砂利石９を貼着して、化粧処理して用いることができるものである。
【００２５】
なお、さらに図１１で示すものは、花壇等に用いる花壇曲面枠体１５であり、この花壇曲面枠体１５では、外側面１５ｂが曲面状に形成されており、その上端に水平な上面１５ａが形成されたものである。
なお、三角形状の補強板１５ｄを突出面１５ｃ上に立設して、外側面１５ｂの倒れに対する強度を増大させておくことができるものである。
なお、このような花壇曲面枠体１５においても、上面１５ａおよび外側面１５ｂに接着剤で砂利石等を貼着して化粧処理し、現場に持ち込んで花壇等を造築できるものである。
【００２６】
さらに図１２は、花壇等に用いる三段池を構成する三段池用枠体１６を示すものである。
この三段池用枠体１６も廃プラスチックに発泡剤を加えたもので形成されており、上面１６ａと内側面１６ｂと外側面１６ｃと右面１６ｄと左面１６ｅで形成された箱状に立設する部分の、内側面１６ｂ側に、上面が開放された池を形成する内池枠１７が湾曲状に一体形成されており、さらにこの内池枠１７の外側に、Ｕ字状に湾曲した外池枠１８が設けられており、この外池枠１８の上面は開放されて、中に水を入れて池を構成することができるものである。
このような三段池用枠体１６においても、上面１６ａ，内側面１６ｂ，外側面１６ｃ，右面１６ｄ，左面１６ｅ，内池枠１７の上面１７ａ，内池枠１７の外周面１７ｂ，外池枠１８の上面１８ａ，外池枠１８の外周面１８ｂに、それぞれ接着剤により砂利石９等を貼着して化粧処理したものを、現場に持ち込んで容易に設置できるものである。
【符号の説明】
【００２７】
１  枕木状枠体
２  上面
４  外側面
５  連結面
６  突出面
７  接着剤
８  コテ
９  砂利石
１２  Ｌ字ジョイント
１３  壁状枠体
１３ａ  上面
１３ｂ  外側面
１３ｃ  突出面
１４  壁状枠体
１４ａ  外側面
１４ｂ  内板
１４ｃ  突出面
１４ｄ  中板
１５  花壇曲面枠体
１５ａ  上面
１５ｂ  外側面
１５ｃ  突出面
１６  三段池用枠体
１６ａ  上面
１６ｂ  内側面
１６ｃ  外側面
１６ｄ  右面
１６ｅ  左面
１７  内池枠
１７ａ  上面
１７ｂ  外周面
１８  外池枠
１８ａ  上面
１８ｂ  外周面
【図１】
0003195467.tif 000003
【図２】
0003195467.tif 000004
【図３】
0003195467.tif 000005
【図４】
0003195467.tif 000006
【図５】
0003195467.tif 000007
【図６】
0003195467.tif 000008
【図７】
0003195467.tif 000009
【図８】
0003195467.tif 000010
【図９】
0003195467.tif 000011
【図１０】
0003195467.tif 000012
【図１１】
0003195467.tif 000013
【図１２】
0003195467.tif 000014